【手続補正書】
【提出日】平成18年8月22日(2006.8.22)
【手続補正１】
【補正対象書類名】明細書
【補正対象項目名】発明の名称
【補正方法】変更
【補正の内容】
【発明の名称】光ディスク
【手続補正２】
【補正対象書類名】明細書
【補正対象項目名】特許請求の範囲
【補正方法】変更
【補正の内容】
【特許請求の範囲】
【請求項１】
光学的に情報を記録する光ディスクであって、
照射される光ビームに従って情報を記録する第１の色素材料が設けられた第１の記録層と、
照射される光ビームに従って視認可能な画像パターンを記録する第２の色素材料が設けられた第２の記録層と、
を有し、
前記第２の記録層に形成された際の前記画像パターンと前記第２の記録層の未記録部分とのコントラストと、前記第１の記録層に情報記録された際の記録部分と前記第１の記録層の未記録部分とのコントラストが異なること、
を特徴とする光ディスク。
【請求項２】
前記第１の記録層と前記第２の記録層との間に介在し、前記第１の記録層に照射される光ビームを反射すると共に、第２の記録層に照射される光ビームを反射する反射層が形成されていること、
を特徴とする請求項１に記載の光ディスク。
【請求項３】
前記第２の記録層の上面に形成され、前記第２の記録層に照射される光ビームを透過する透明層と、
前記透明層の上面に形成された印刷層と、
を有することを特徴とする請求項１に記載の光ディスク。
【請求項４】
前記第２の色素材料は、シアン系又はアゾ系の有機色素材料であること、
を特徴とする請求項１に記載の光ディスク。
【請求項５】
前記第２の色素材料は、未だ情報が記録されない状態での前記第１の記録層と、前記画像パターンが未だ記録されない状態での前記第２の記録層とを視覚的に識別できる色素材料であること、
を特徴とする請求項１に記載の光ディスク。
【請求項６】
前記第２の色素材料は、シアン系又はアゾ系の有機色素材料であること、
を特徴とする請求項５に記載の光ディスク。
【請求項７】
光学的に情報を記録する光ディスクであって、
前記光ディスクの一方の面に設けられ、照射される光ビームに従って情報をピット記録する第１の色素材料で形成された第１の記録層と、
前記光ディスクの他方の面に設けられ、光ビームが照射されることで視認可能な画像パターンを記録する第２の色素材料で形成された第２の記録層と、
を有し、
前記第２の記録層に形成された際の前記画像パターンの反射率と前記第２の記録層の未記録部分の反射率との差と、前記第１の記録層に情報記録された際の記録部分の反射率と前記第１の記録層の未記録部分の反射率との差が異なること、
を特徴とする光ディスク。
【請求項８】
前記第１の記録層と前記第２の記録層との間に介在し、前記第１の記録層に照射される光ビームを反射すると共に、第２の記録層に照射される光ビームを反射する反射層が形成されていること、
を特徴とする請求項７に記載の光ディスク。
【請求項９】
前記第２の記録層の上面に形成され、前記第２の記録層に照射される光ビームを透過する透明層と、
前記透明層の上面に形成された印刷層と、
を有することを特徴とする請求項７に記載の光ディスク。
【請求項１０】
前記第２の色素材料は、シアン系又はアゾ系の有機色素材料であること、
を特徴とする請求項７に記載の光ディスク。
【請求項１１】
前記第２の色素材料は、未だ情報が記録されない状態での前記第１の記録層と、前記画像パターンが未だ記録されない状態での前記第２の記録層とを視覚的に識別できる色素材料であること、
を特徴とする請求項７に記載の光ディスク。
【請求項１２】
前記第２の色素材料は、シアン系又はアゾ系の有機色素材料であること、
を特徴とする請求項１１に記載の光ディスク。
【請求項１３】
光学的に情報を記録する光ディスクであって、
照射される光ビームに従って情報を記録する第１の色素材料が設けられた第１の記録層と、
照射される光ビームに従って視認可能な画像パターンを記録する第２の色素材料が設けられた第２の記録層と、
を有し、
前記第２の記録層に形成された際の前記画像パターンと前記第２の記録層の未記録部分とのコントラストが、前記第１の記録層に情報記録された際の記録部分と前記第１の記録層の未記録部分とのコントラストに較べて大きいこと、
を特徴とする光ディスク。
【請求項１４】
前記第１の記録層は前記光ディスクの一方の面、前記第２の記録層は前記光ディスクの他方の面に形成されていること、
を特徴とする請求項１３に記載の光ディスク。
【請求項１５】
前記第１の記録層と前記第２の記録層との間に介在し、前記第１の記録層に照射される光ビームを反射すると共に、第２の記録層に照射される光ビームを反射する反射層が形成されていること、
を特徴とする請求項１３に記載の光ディスク。
【請求項１６】
前記第２の記録層の上面に形成され、前記第２の記録層に照射される光ビームを透過する透明層と、
前記透明層の上面に形成された印刷層と、
を有することを特徴とする請求項１３に記載の光ディスク。
【請求項１７】
前記第２の色素材料は、シアン系又はアゾ系の有機色素材料であること、
を特徴とする請求項１３に記載の光ディスク。
【請求項１８】
前記第２の色素材料は、未だ情報が記録されない状態での前記第１の記録層と、前記画像パターンが未だ記録されない状態での前記第２の記録層とを視覚的に識別できる色素材料であること、
を特徴とする請求項１３に記載の光ディスク。
【請求項１９】
前記第２の色素材料は、シアン系又はアゾ系の有機色素材料であること、
を特徴とする請求項１８に記載の光ディスク。
【手続補正３】
【補正対象書類名】明細書
【補正対象項目名】００１２
【補正方法】変更
【補正の内容】
【００１２】
【課題を解決するための手段】
請求項１に記載の発明は、光学的に情報を記録する光ディスクであって、照射される光ビームに従って情報を記録する第１の色素材料が設けられた第１の記録層と、照射される光ビームに従って視認可能な画像パターンを記録する第２の色素材料が設けられた第２の記録層と、を有し、前記第２の記録層に形成された際の前記画像パターンと前記第２の記録層の未記録部分とのコントラストと、前記第１の記録層に情報記録された際の記録部分と前記第１の記録層の未記録部分とのコントラストが異なること、を特徴とする。
【手続補正４】
【補正対象書類名】明細書
【補正対象項目名】００１３
【補正方法】変更
【補正の内容】
【００１３】
請求項７に記載の発明は、光学的に情報を記録する光ディスクであって、前記光ディスクの一方の面に設けられ、照射される光ビームに従って情報をピット記録する第１の色素材料で形成された第１の記録層と、前記光ディスクの他方の面に設けられ、光ビームが照射されることで視認可能な画像パターンを記録する第２の色素材料で形成された第２の記録層と、を有し、前記第２の記録層に形成された際の前記画像パターンの反射率と前記第２の記録層の未記録部分の反射率との差と、前記第１の記録層に情報記録された際の記録部分の反射率と前記第１の記録層の未記録部分の反射率との差が異なること、を特徴とする。
【手続補正５】
【補正対象書類名】明細書
【補正対象項目名】００１４
【補正方法】変更
【補正の内容】
【００１４】
請求項１３に記載の発明は、光学的に情報を記録する光ディスクであって、照射される光ビームに従って情報を記録する第１の色素材料が設けられた第１の記録層と、照射される光ビームに従って視認可能な画像パターンを記録する第２の色素材料が設けられた第２の記録層と、を有し、前記第２の記録層に形成された際の前記画像パターンと前記第２の記録層の未記録部分とのコントラストが、前記第１の記録層に情報記録された際の記録部分と前記第１の記録層の未記録部分とのコントラストに較べて大きいこと、を特徴とする。